(57)【要約】【課題】海藻や付着生物が着生し易く、かつ、年月の経過と共に藻場基盤の表面が剥離して新しい肌に更新することができる藻場増殖礁を提供する。【解決手段】  藻場増殖礁Ａは、基盤１と重量物２と連結部材３とから構成される。基盤１は、鋳物によって各面が格子状とされた四角錐形状に形成される。重量物２は、外力を受けても滑動することない重さとされる、直方体のコンクリートブロックである。連結部材３は、基盤１と重量物２とを連結し、その間に隙間を形成する。これにより、基盤１と重量物２との間を潮流や波浪等が流れるので、浮泥等の堆積を防ぎ、藻類の着生基盤として良好な環境を維持することができる。【選択図】図１
0003122926.tif 000002
【実用新案登録請求の範囲】
【請求項１】
海藻や付着生物を着生させる基盤が、鋳肌が梨地状の鋳物から形成されたことを特徴とする藻場増殖礁。
【請求項２】
基盤が外力によって滑動することを防止するための重量物が付設されたこととを特徴とする請求項１に記載の藻場増殖礁。
【請求項３】
重量物が、コンクリートから形成されたことを特徴とする請求項２に記載の藻場増殖礁。
【考案の詳細な説明】
【技術分野】
【０００１】
本考案は、人工構造物を沿岸の浅海域に設置し、その基盤に藻場を造成する藻場増殖礁に関する。
【背景技術】
【０００２】
沿岸漁業の漁獲量は、近年減少の一途をたどっている。中でも、磯根のアワビやウニ類の減少は顕著である。その原因に考えられるのは、アワビやウニ類の飼料となる海藻の衰退や枯渇、あるいは、海藻の磯焼け現象等である。特に海藻の磯焼け現象は、食害、あるいは、水温、水質、環境の変化等が原因と考えられているが、解明はされていない。
【０００３】
このような現状の中で、藻場の造成事業は、緊急かつ重要な施策として行なう必要がある。その事業に採用されている藻場基盤は、その大部分が採掘された岩石やコンクリートブロックで形成されている。稀に、鋼製構造物、化学物質プラスチック、植毛等で形成されている。
【０００４】
しかし、コンクリートブロックで形成された藻場基盤では、表面が平坦または平滑なために海藻や付着生物が藻場基盤の上面外周や角部にしか着生しない。すなわち、海藻等の着生効率が悪い問題があった。
【０００５】
そこで、特許文献１では、海底に敷設して海草類の地下茎または根を定着させるための藻場基盤を、高炉水砕スラグあるいは高炉水砕スラグと他の底質構成材の混合物等から形成することで、表面に凹凸部を形成した藻場増殖礁が開示されている。
【特許文献１】特開２００５−５２０３１
【考案の開示】
【考案が解決しようとする課題】
【０００６】
ところで、藻場基盤は、目的の海藻の胞子が発生する時期に海底に設置することで、目的の海藻を着生させ、増殖させている。ところが、年月を経過するにつれて雑藻や付着生物が着生し、徐々に藻場基盤を占有してしまう。そのため、目的の海藻が藻場基盤から減退するのを防止するために藻場基盤の表面を更新処理する必要がある。
【０００７】
特許文献１は、高炉水砕スラグあるいは高炉水砕スラグと他の底質構成材から藻場増殖礁を生成しているため、年月の経過と共に藻場基盤の表面が腐食することがないので、その表面が剥離することがない。
【０００８】
また、特許文献１は、藻場基盤を生成する際、高炉水砕スラグと排ガスとの反応を均一に行なわせることが難しい。そのため、大型の藻場増殖礁を製造することはできない。さらに、製造設備を構築し、維持するのためには多大なコストがかかる。
【０００９】
本考案は、上記に鑑み、海藻や付着生物が着生し易く、かつ、年月の経過と共に藻場基盤の表面が剥離して新しい肌に更新することができる藻場増殖礁の提供を目的とする。
【課題を解決するための手段】
【００１０】
本考案は、海藻や付着生物を着生させる基盤が、鋳肌が梨地状の鋳物から形成されていることを特徴とする。この構成によると、基盤の表面を陵角多種の形状を容易に製造することができる。さらに、鋳物の基盤は、藻類に応じた適切な寸法、形状に製作することができるので、藻場の着生密度を極めて高くすることができる。
【００１１】
また、鋳物の基盤は梨地状に形成されるので、海藻の胞子の着生および仮根の固着性に優れ、藻場の着生効果において即効性がある。さらに、鋳物の基盤は、年月の経過と共に基盤の表面が腐食し、粒状に剥離する。そのため、自然に新しい肌に更新されるので、新しい海藻の胞子が着生する効果を発揮する性状を維持継続することができる。
【００１２】
また、基盤が外力によって滑動することを防止するための重量物が付設されたこととを特徴とする。ここで、付設とは、部材あるいは直接に基盤と重量物とが接続することである。
【００１３】
上記構成によると、海底に鋳物の基盤を設置した際、潮流や海流等の外力によって流されることを防止することができる。これにより、鋳物の基盤は、所定の位置に留まることができるので、目的の海藻を基盤に着生することや繁殖させることができる。
【００１４】
また、重量物が、コンクリートから形成されたことを特徴とする。コンクリートブロックは、年月の経過と共に腐食することがないため、重量の変化することがない。そのため、長期において基盤の滑動を防止することができる。
【考案の効果】
【００１５】
以上の説明で明らかなように、本考案によれば、基盤を鋳物で形成することにより、海藻類に馴染みやすく即効性が基盤を形成することができる。また、海藻の胞子の着生および仮根の固着性に優れている上、生え変わりを助長するために基盤の表面が年月の経過と共に剥離脱落して新しい地肌を創出することができる。これにより、海藻類の着生、生長に効果的な優れた基盤を供えた藻場を構築することができる。
【考案を実施するための最良の形態】
【００１６】
［第１実施形態］
以下、本考案の第１実施形態に係る藻場増殖礁について、図１および図２を用いて説明する。
【００１７】
第１実施形態の藻場増殖礁Ａは、図１および図２に示すように、海藻や付着生物等を着生させる基盤１と、潮流や波浪等の外力によって基盤１が滑動することを防止するための重量物２と、基盤１と重量物２とを連結する連結部材３とを備える。
【００１８】
基盤１は、鋳物によって底面が四角形の四角錐形状に形成された藻場である。詳しくは、基盤１は、海藻の胞子の着生および仮根の固着性が優れている２ｃｍ〜５ｃｍの角形断面の構造材４を１０ｃｍ〜２０ｃｍのピッチに配列し、各面が格子状に形成された四角錐とされる。
【００１９】
この構成により、基盤１は、海藻類の生育および繁茂が多いと言われる稜線部やコーナー部を多く形成することができる。また、基盤１は、各面が格子状に形成されるので、潮通しが良くなり、基盤１に浮泥が堆積することがない。また、各面が格子状のため、潮流や波浪等の外力を受ける面積が少ない構造となっている。そのため、基盤１が滑動することを防止することができる。
【００２０】
重量物２は、平面が基盤１の底面よりも大とする、直方体のコンクリートブロックである。この重量物２は、外力を受けても滑動することない重さとされる。
【００２１】
連結部材３は、重量物２の４隅に配置される。連結部材３は、外力や基盤１の重量よって倒れないように、その一端側が重量物２に埋設される。連結部材３の他端側は、重量物２の上面から１０ｃｍ〜２０ｃｍ突出しており、その端部に基盤１が接続される。すなわち、基盤１と重量物２との間に隙間を形成することができる。これにより、基盤１と重量物２との間を潮流や波浪等が流れるので、浮泥等の堆積を防ぎ、藻類の着生基盤として良好な環境を維持することができる。また、基盤１により適度な陰が構成されるので、魚類にとっても良好な環境を提供することができる。
【００２２】
次に、藻場増殖礁Ａの使用方法について説明する。先ず、基盤１と重量物２とを接続した状態で海底に設置する。好ましくは、水深１０ｍ〜２０ｍの海底に設置する。この設置は、目的の海藻の胞子が発生する時期、例えば、褐藻類（クロメ）の場合は５月から６月に設置することが望ましい。基盤１に着生した胞子が成長し、藻場を形成する。
【００２３】
その後、基盤１は、年月の経過と共に基盤１の表面が腐食し、粒状に剥離することで自然に新しい肌に更新される。そして、表面が更新された基盤１に新しい海藻胞子の着生し、基盤１に着生した胞子が成長し、藻場を形成する。このサイクルを繰り返し行なうことにより、枯渇した沿岸の藻場を再構築することができる。
【００２４】
［第２実施形態］
次に、図３および図４を用いて本考案の第２実施形態に係る藻場増殖礁Ｂについて説明する。なお、第１実施形態と同一部分には同一符号を付して説明は省略し、異なる部分についての説明を行なう。
【００２５】
本実施形態の藻場増殖礁Ｂは、図３および図４に示すように、基盤５を平面が格子状に形成された平板形状にしたこと以外は第１実施形態と同様である。
【００２６】
基盤５は、鋳物によって平板形状に形成され、その平面は格子状とされる。なお、基盤５の詳細については、第１実施形態と同様に海藻の胞子の着生および仮根の固着性が優れている２ｃｍ〜５ｃｍの角形断面の構造材４を１０ｃｍ〜２０ｃｍのピッチに配列して形成される。
【００２７】
その他は、第１実施形態の藻場増殖礁Ａと同様な構造とされるため、詳細な説明は省略する。
【００２８】
なお、本考案は、上記実施形態に限定されるものではなく、本発明の範囲内で修正・変更を加えることができるのは勿論である。上記実施形態では、基盤が四角錐あるいは平板状に形成しているが、特にこの限りではない。例えば、円筒状、直方体形状、あるいは、球状に形成してもよい。ただし、いずれの場合においても、面を格子状にすることが望ましい。
【００２９】
また、海藻の着生する基盤を鋳物で形成し、その基盤を支える重量物を安価なコンクリートと組み合わせた構造であるので、海藻が着生する藻場として使用するだけでなく、例えば、港湾関係の堤防の根固めブロックに利用してもよい。
【００３０】
また、基盤を構成する構造材の角形断面が２ｃｍ〜５ｃｍとしているが、特にこの限りではなく、着生させる海藻あるいは設置する海域に合わせて、その角形断面の大きさを設定しても良い。また、構造材同士のピッチも同様に任意に設定しても良い。
【００３１】
また、基盤の面を格子状に形成しているが、特にこの限りではなく、凹凸面や平面等であっても良い。また、本考案は、海底に浮遊する胞子が基盤に着生するようにしているが、特にこの限りではない。あらかじめ、基盤に海藻の苗あるいは胞子を着生させてから海底に設置しても良い。
【図面の簡単な説明】
【００３２】
【図１】本考案の第１実施形態に係る藻場増殖礁の平面図
【図２】図１に示す藻場増殖礁のａ−ａ断面図
【図３】第２実施形態に係る藻場増殖礁の平面図
【図４】図３に示す藻場増殖礁のｂ−ｂ断面図
【符号の説明】
【００３３】
１  基盤
２  重量物
３  連結部材
４  構造材
５  基盤
Ａ  藻場増殖礁
Ｂ  藻場増殖礁
【図１】
0003122926.tif 000003
【図２】
0003122926.tif 000004
【図３】
0003122926.tif 000005
【図４】
0003122926.tif 000006